(57)【要約】      （修正有）【課題】幼児に安心して与えられ、木工製品の木目の美しさや木の温もりを活かして癒し空間を演出できる良質なインテリアとしても利用可能な積み木を提供する。【解決手段】中空立方体Ｄの一面１中央に一の目とする凹欠部１０を形成し、六の面６内に設定した所定仮想正方形Ｖの４隅Ｖ０上と、対峙仮想辺Ｖ１の各中央とに六の目貫通孔を穿孔し、二の面の所定仮想正方形Ｖの対峙する２隅Ｖ０上に二の目貫通孔を穿孔すると共に、五の面５に所定仮想正方形Ｖの４隅Ｖ０上と対角線交点Ｖ２上とに五の目貫通孔を穿孔し、三の面の所定仮想正方形Ｖの対峙する２隅Ｖ０上と対角線交点Ｖ２上との夫々に三の目貫通孔を穿設し、四の面４には所定仮想正方形Ｖの４隅Ｖ０上夫々に四の目貫通孔を穿孔した上、立方体Ｄの外隅Ｄ５を球面状に、１２本の稜線Ｄ６を円筒面状に夫々大きく面取りしてなるサイコロＤである。【選択図】図１６
0003141768.tif 000002
【実用新案登録請求の範囲】
【請求項１】
中空状正６面体の立方体であって、その６面中の一面外壁中央に一の目を表示する凹欠部を形成し、該一の面の反対がわとなる六の面には、該六の面壁範囲内に設定した所定仮想正方形の４隅上と、それら４隅間の何れか対峙する仮想２辺の各中央とに、夫々所定直径の六の目表示用の六の目貫通孔を穿孔し、これら一および六の面以外の何れかの一面外壁を二の面とし、該二の面に設定した同様の所定仮想正方形の対峙する２隅上に、所定直径の二の目表示用の二の目貫通孔を穿孔すると共に、当該二の面の反対がわとなる五の面には、前記二の面の所定仮想正方形をそのまま投影状とした所定仮想正方形の４隅上と対角線交点上とに夫々所定直径の五の目表示用の五の目貫通孔を穿孔する一方、これら６面中の一、六の面および二、五の面以外の何れかの一面外壁を三の面とし、該三の面の所定仮想正方形の何れか対峙する２隅上と対角線交点上との夫々に、所定直径の三の目表示用の三の目貫通孔を穿設し、更に当該三の面の反対がわとなる四の面には、前記三の面の所定仮想正方形をそのまま投影状とした所定仮想正方形の４隅上夫々に、所定直径の四の目表示用の四の目貫通孔を穿孔した上、この立方体の８つの外隅を球面状に、また、１２本の稜線を円筒面状に、夫々大きく面取りしてなるものとしたことを特徴とするサイコロ。
【請求項２】
中空状正６面体の立方体であって、その６面中の一面外壁中央に一の目を表示する球面状凹欠部を形成し、該一の面の反対がわとなる六の面には、該六の面の対角線上に各４隅を一致し、対角線の交点同士を一致する所定仮想正方形の４隅上と、それら４隅間の何れか対峙する仮想２辺の各中央とに、夫々所定直径の六の目表示用の六の目貫通孔を穿孔し、これら一および六の面以外の何れかの一面外壁を二の面とし、該二の面の対角線上に各４隅を一致し、対角線の交点同士を一致する同一寸法の所定仮想正方形の対峙する２隅上に、所定直径の二の目表示用の二の目貫通孔を穿孔すると共に、当該二の面の反対がわとなる五の面には、前記二の面の所定仮想正方形をそのまま投影状とした所定仮想正方形の４隅上と対角線交点上とに夫々所定直径の五の目表示用の五の目貫通孔を穿孔する一方、これら６面中の一、六の面および二、五の面以外の何れかの一面外壁を三の面とし、該三の面の同一寸法、配置とした所定仮想正方形の何れか対峙する２隅上と対角線交点上との夫々に、所定直径の三の目表示用の三の目貫通孔を穿設し、更に当該三の面の反対がわとなる四の面には、前記三の面の所定仮想正方形をそのまま投影状とした所定仮想正方形の４隅上夫々に、所定直径の四の目表示用の四の目貫通孔を穿孔した上、この立方体の８つの外隅を球面状に、また、１２本の稜線を円筒面状に、夫々大きく面取りしてなるものとしたことを特徴とするサイコロ。
【請求項３】
一の目の凹欠部を朱色に着色し、それ以外の二の面の二の目貫通孔ないし六の面の六の目貫通孔の各周縁に、皿もみ状の面取りを施すと共に、各皿もみ状面取り部表面に各面単位毎に、識別容易な程度に異なる着色を施してなるものとした、請求項１または２何れか一項記載のサイコロ。
【請求項４】
立方体の中空空間内に、１個または複数個の鈴などの音響発生体を内蔵してなるものとした、請求項１ないし３何れか一項記載のサイコロ。
【請求項５】
立方体の中空空間内に、１個または複数個の香料、ポプリなどの芳香発生体を内蔵してなるものとした、請求項１ないし４何れか一項記載のサイコロ。
【請求項６】
立方体の一の面ないし六の面の全ての面夫々の凹欠部および各サイコロの目貫通孔を除く空白域適所に、各面単位毎に識別容易な程度に異なる絵、模様、文字などの図画表示部を設けてなるものとした、請求項１ないし５何れか一項記載のサイコロ。
【請求項７】
請求項１ないし６何れか一項記載のサイコロのＮ個と、それらサイコロの二の面の二の目貫通孔ないし六の面の六の目貫通孔の夫々に貫通可能な所定外径寸法であって、それらＮ個の積み重ねられたサイコロを上下縦貫可能な長さ寸法に設定された連結棒との組み合わせからなるものとしたことを特徴とするサイコロ型積み木。
【請求項８】
請求項１ないし６何れか一項記載のサイコロのＮ個と、それらサイコロの二の面の二の目貫通孔ないし六の面の六の目貫通孔の夫々に貫通可能な所定外径寸法であって、それらＮ個の積み重ねられたサイコロを上下縦貫可能な長さ寸法に設定された連結棒との組み合わせであり、それらＮ個のサイコロおよび連結棒が、何れも木材加工品からなるものとしたことを特徴とするサイコロ型積み木。                                                      
【考案の詳細な説明】
【技術分野】
【０００１】
この考案は、玩具、教材、インテリアまたは工芸品などに関するものであり、サイコロまたはサイコロをモチーフとした製品を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                
【背景技術】
【０００２】
（着目点）
木製の玩具やインテリア類などは、プラスチック製や金属製のものに比較して木目の美しさや触感、木の温もり、香りなど様々な面で独特の性質を持ち、自然な風合いに親しむことができ、安全性にも秀れおり、乳幼児や幼児の知育玩具としても理想的であり、また、心を癒す装飾品としても有益であって、永年に渡って飽きることなく愛用できる上、万が一破損してしまい再生処理、または焼却処理する場合も自然環境に優しいという特徴をもっている。
【０００３】
このような木製の玩具やインテリア類には、天然木から切り出した複数個の正多面体同士を組み合わせてなるものや、木材同士を集成してなる立方体同士の組み合わせからなる積み木など、既に様々なものが開発済みとなっており、新たな市場の開拓が難しい分野となっているといわざるを得ないのが現状である。
【０００４】
（従来の技術）
そうした事情を打開できそうな技術としては、例えば、後記する特許文献１（１）に掲載されている発明のように、一つのサイコロと複数個の異色の磁気入り変形積み木とから成り、サイコロ本体が立方体或いは多面体等の複数の面を有し、複数の面には複数の異色を塗布又は貼着して設け、該サイコロ内部には鈴等の音発生部材を内蔵し、該磁気入り変形積み木は一辺が所定寸法を有する立方体の六面中二面を所定角度傾斜を設けて変形させ、Ｎ・Ｓの方向性や磁力の強弱をランダムに入磁するか或いは強弱シートを外周面に貼着して設けた樹脂等の軽量部材から成り、外周面が同一色で形成された複数種類の色を有する積み木を同一数だけ設け、遊戯者が自分の好きな色の積み木をそれぞれ一種類だけ選定し、サイコロを順番に転がして止まった時の積み木の上表面の色と一致した人が積み木を一個ずつ重ねたり、並べていくというゲームを実現可能とした「脳活性化用遊戯具及び使用方法」がある。
【０００５】
また同様に、特許文献１（２）に示されている「装飾性を備えたブロック玩具」発明に見られるとおりの、透光性材によって立方体、直方体、円柱体等の所定の立体形状に構成し、一面に突起部を設け、他の一面に突起部を嵌入する嵌入部を設け、当該突起部、嵌入部それぞれの着脱自在な嵌合によって相互に接合可能なブロック体とし、該ブロック体は、発光体を内蔵した発光用ブロック体、投影模様を表示したフィルム部材を保持するマスク部を備えた投影用ブロック体、反射鏡を内蔵した反射用ブロック体、万華鏡を内蔵した万華鏡用ブロック体、透光反射面を有する透光体を内蔵した透光体用ブロック体、芳香剤を内蔵した芳香用ブロック体それぞれで構成し、面白みに富み装飾性を高めて一層の変化や意外性に富むようにしたものや、または、同特許文献１（３）「商品陳列装置」考案のように、サイコロ状のボックス体の６面夫々に試用見本の太さサイズに対応すべく互いに異なる孔径による挿入孔を備えて成る複数の陳列用パーツと、該陳列用パーツの６面のうちの選択した１面を上側に向けて互いに縦横に敷き詰める状態にして収納可能としたトレー体とを備え、該試用見本は、陳列用パーツの挿入孔の孔径よりも大きな幅員を有し且つ商品名および価格を表示可能とする係止用ブロックを介して当該試用見本と同じ色の色見本を備えたものとし、またトレー体は、ボックス体の６面夫々に挿入孔を有しないスペーサー用パーツ、あるいはボックス体の１面が開放して成るティッシュ入れ用パーツを収納可能としたものなどが散見される。
【０００６】
しかし、上記特許文献１（１）に示されているような磁力を帯びた積み木などは、その磁気によって電気または電子機器に障害を生じる虞があり、特にペースメーカー等体内医療機器や骨等に金属物質を使用している人々にとっては、余り好ましくないという欠点を有し、次に示した特許文献１（２）のように、ＬＥＤ素子を内蔵したものの場合には、内部に電池収納部を形成して蓋体で封鎖できるものとしなければならず、こうした複雑な構造を木工製品に採用するのは製造上からも強度上からも有利とは言えず、さらに、後者の特許文献１（３）に示したような陳列装置類は、それらの組合せ方によって知育玩具や装飾品としての応用ができない訳ではないとしても、そのままの組合せ状態では全く幼児用玩具やインテリアとなり得るものではないといえる。                                                      
【特許文献１】（１）特開２００６−２２３７１９号公報    （２）特開２００６−２６２９３９号公報    （３）登録実用新案第３１２０１９８号公報
【考案の開示】
【考案が解決しようとする課題】
【０００７】
（問題意識）
上述したとおり、従前までに提案のある各種積み木類などは、新たな機能を追加するために何れも電池を要するＬＥＤ素子や磁石などを内蔵したものとなり、使用の際に周囲の家電品や人体への影響を考慮して充分な注意を払わなければならないものとなってしまい、幼児が安心して利用できるものではないという欠点を有しており、また、必ずしも木工品の木の温もりや木目の美しさを活かしきれているとは言えないもであり、幼児の情操面や、その後に年齢を重ねて成長していく過程の情緒を育んでいくためにも、木質素材の有する特徴と形態の変化とを共に楽しめるようにし、現代社会において馴染む機会が益々失われつつ木質感を直に感じられる素朴で変化に富んだ新たな木製玩具の必要性を痛感するに至った。
【０００８】
（考案の目的）
そこで、上記のような問題意識に立脚し、この考案は、木工製品の木目の美しさや木の温もりを活かして癒し空間を演出できる良質、安全なインテリアとしても利用可能なものとして、極めて素朴な玩具の中に実現できないものかとの判断から、逸速くその開発、研究に着手し、長期に渡る試行錯誤と幾多の試作、実験とを繰り返してきた結果、今回、遂に新規な構造のサイコロ、およびそれを利用した新規な構造のサイコロ型積み木を実現化することに成功したものであり、以下では、図面に示すこの考案を代表する実施例と共に、その構成を詳述することとする。                                                                                                                
【課題を解決するための手段】
【０００９】
（考案の構成）
図面に示すこの考案を代表する実施例からも明確に理解されるように、この考案のサイコロは、基本的に次のような構成から成り立っている。
即ち、中空状正６面体の立方体であって、その６面中の一面外壁中央に一の目を表示する凹欠部を形成し、該一の面の反対がわとなる六の面には、該六の面壁範囲内に設定した所定仮想正方形の４隅上と、それら４隅間の何れか対峙する仮想２辺の各中央とに、夫々所定直径の六の目表示用の六の目貫通孔を穿孔し、これら一および六の面以外の何れかの一面外壁を二の面とし、該二の面に設定した同様の所定仮想正方形の対峙する２隅上に、所定直径の二の目表示用の二の目貫通孔を穿孔すると共に、当該二の面の反対がわとなる五の面には、前記二の面の所定仮想正方形をそのまま投影状とした所定仮想正方形の４隅上と対角線交点上とに夫々所定直径の五の目表示用の五の目貫通孔を穿孔する一方、これら６面中の一、六の面および二、五の面以外の何れかの一面外壁を三の面とし、該三の面の所定仮想正方形の何れか対峙する２隅上と対角線交点上との夫々に、所定直径の三の目表示用の三の目貫通孔を穿設し、更に当該三の面の反対がわとなる四の面には、前記三の面の所定仮想正方形をそのまま投影状とした所定仮想正方形の４隅上夫々に、所定直径の四の目表示用の四の目貫通孔を穿孔した上、この立方体の８つの外隅を球面状に、また、１２本の稜線を円筒面状に、夫々大きく面取りしてなるものとした構成を要旨とするサイコロである。
【００１０】
この基本的な構成からなるサイコロをより具体的なものとして示すと、中空状正６面体の立方体であって、その６面中の一面外壁中央に一の目を表示する球面状凹欠部を形成し、該一の面の反対がわとなる六の面には、該六の面の対角線上に各４隅を一致し、対角線の交点同士を一致する所定仮想正方形の４隅上と、それら４隅間の何れか対峙する仮想２辺の各中央とに、夫々所定直径の六の目表示用の六の目貫通孔を穿孔し、これら一および六の面以外の何れかの一面外壁を二の面とし、該二の面の対角線上に各４隅を一致し、対角線の交点同士を一致する同一寸法の所定仮想正方形の対峙する２隅上に、所定直径の二の目表示用の二の目貫通孔を穿孔すると共に、当該二の面の反対がわとなる五の面には、前記二の面の所定仮想正方形をそのまま投影状とした所定仮想正方形の４隅上と対角線交点上とに夫々所定直径の五の目表示用の五の目貫通孔を穿孔する一方、これら６面中の一、六の面および二、五の面以外の何れかの一面外壁を三の面とし、該三の面の同一寸法、配置とした所定仮想正方形の何れか対峙する２隅上と対角線交点上との夫々に、所定直径の三の目表示用の三の目貫通孔を穿設し、更に当該三の面の反対がわとなる四の面には、前記三の面の所定仮想正方形をそのまま投影状とした所定仮想正方形の４隅上夫々に、所定直径の四の目表示用の四の目貫通孔を穿孔した上、この立方体の８つの外隅を球面状に、また、１２本の稜線を円筒面状に、夫々大きく面取りしてなるものとした構成からなるサイコロとなる。
【００１１】
（関連する考案）
上記したサイコロに関連し、この考案には、それを利用したサイコロ型積み木も包含している。
即ち、前記何れかに記載した、この考案の基本的な構成からなるサイコロのＮ個と、それらサイコロの二の面の二の目貫通孔ないし六の面の六の目貫通孔の夫々に貫通可能な所定外径寸法であって、それらＮ個の積み重ねられたサイコロを上下縦貫可能な長さ寸法に設定された連結棒との組み合わせからなるものとした、この考案の基本をなすサイコロを利用してなるサイコロ型積み木である。
【００１２】
このサイコロ型積み木を表現を変えて示すと、前記何れかに記載した、この考案の基本的な構成からなるサイコロのＮ個と、それらサイコロの二の面の二の目貫通孔ないし六の面の六の目貫通孔の夫々に貫通可能な所定外径寸法であって、それらＮ個の積み重ねられたサイコロを上下縦貫可能な長さ寸法に設定された連結棒との組み合わせであり、それらＮ個のサイコロおよび連結棒が、何れも木材加工品からなるものとした、この考案の基本をなすサイコロを利用してなるサイコロ型積み木ということができる。                                                      
【考案の効果】
【００１３】
以上のとおり、この考案のサイコロによれば、従前までは、ＬＥＤ素子や磁石などを内蔵して新たな機能を追加したものが存在しており、ボタン電池の離脱や、磁気による家電品や人体への悪影響などに充分な注意を要し、乳幼児や幼児、障害者、高齢者などには安心して利用できるものではなかったが、上記のとおりの新規な構成から、先ず、何といっても内部を中空状とした立方体が充分に軽量化されて非力な乳幼児や高齢者などにも扱い易く、しかも該立方体の８つの外隅を球面状に、また、１２本の稜線を円筒面状に、夫々大きく面取りしてあるから高い安全性を確保することができ、二の面ないし六の面夫々に中空空間内部と立方体外部とを連通するよう穿孔した各貫通孔が、一の面の凹欠部と共にサイコロとしての使用や、連結棒で串刺し状として複数個を安定的に組み合わせ、積み上げ可能として知育玩具やインテリアなどの幅広い利用を実現化するものとなる外、各貫通孔に紐や連結棒などを貫通状に装着して様々な遊戯や室内装飾に幅広く利用できるものとすることができるという秀れた特徴が得られるものである。
【００１４】
加えて、一の目を球面状凹欠部によって表示するものとし、それ以外の二の目ないし六の目の夫々を、各面壁の対角線上に各４隅を一致し、対角線の交点同士を一致する所定仮想正方形の４隅上および対角線の交点上、ならびに同所定仮想正方形４辺の中央の、何れか対応する一個所か、または、複数個所かの何れかに規制して配置するようにし、垂直方向に積み上げ、または、水平方向に配列した場合などに、当該所定仮想正方形の４隅上に配置した貫通孔同士を容易に一致させることができ、紐や連結棒を貫通して組み立てる場合の操作性を格段に高めることができるという効果を発揮するものとなる。
【００１５】
また、各貫通孔の周縁に皿もみ状の面取りを施したものは、紐や連結棒の装着操作を誘導し、一段と組み合わせ操作性に秀れたサイコロを提供することができ、一の目の凹欠部を朱色に着色し、各皿もみ状面取り部表面に各面単位毎に、識別容易な程度に異なる着色を施したものとすれば、各目が表す配置、形状、数をさらに明確化して教材としての質を高めると共に、外的美観を向上し、室内装飾品としての装飾性も特段に高めたものとすることができる。
【００１６】
立方体の中空空間内に鈴などの音響発生体を内蔵したものは、知育玩具として聴覚に心地良い刺激を与えたり、視覚障害者にも利用可能なものとすることができ、この音響発生体に替えるか併用するようにして芳香発生体を内蔵させたものでは、香りを通じて安らぎを与える玩具としてや、芳香機能をもったインテリアとしての利用を可能とすることができるものとなり、また、立方体各面の空白域適所に、各面単位毎に識別容易な程度に異なる絵、模様、文字などの図画表示部を設けた場合には、サイコロの目に止まらず、図画表示の識別能力を向上させる玩具としての機能を付加したものもとできる外、室内装飾品としての質感を一段と高める効果も期待できるものとなる。
【００１７】
そして、この考案のサイコロ型積み木によれば、Ｎ個のサイコロと連結棒との組み合わせで、変化に富んだ組合せの外観および機能を実現可能とするものになり、これまでに提供されてきた一般的な立方体型の積み木では、磁石や凹凸部分の組み合わせなどによって連結しなければならず、磁気による家電品や人体などへの悪影響に注意を要したり、サイコロとしての機能を追加出来なかったりしていた弊害を一挙に解決し、簡単且つ安定に積み上げることのできる積み木の実現化が可能となり、加えて、それらＮ個のサイコロおよび連結棒が、何れも木材加工品からなるものとすれば、この考案開発の動機となっていた軽量且つ丈夫で、何より木工品の木の温もりや木目の美しさを有する知育玩具であり、またインテリアとしても何時までも飽きのこない変化に富んだん外観と、高品質で安全性とを兼ね備えた、これまでに無い新たな積み木の提供ができるという秀れた効果を発揮するものとなる。                                                                                
【考案を実施するための最良の形態】
【００１８】
上記したとおりの構成からなるこの考案の実施に際し、その最良もしくは望ましい形態について説明を加えることにする。
サイコロは、サイコロとしての外観と機能とを有し、玩具や装飾品などとしての使用を可能とするものであって、中空状正６面体型立方体とし、６面の夫々にサイコロの目を適宜表示し、一面外壁中央に一の目を表示する凹欠部を形成し、該一の面の反対がわとなる六の面には、該六の面壁範囲内に設定した所定仮想正方形の４隅上と、それら４隅間の何れか対峙する仮想２辺の各中央とに、夫々所定直径の六の目貫通孔を穿孔し、それら以外の何れかの一面外壁に設定した同様の所定仮想正方形の対峙する２隅上に、所定直径の二の目貫通孔を穿孔すると共に、当該二の面の反対がわとなる五の面には、前記二の面の所定仮想正方形をそのまま投影状とした所定仮想正方形の４隅上と対角線交点上とに夫々所定直径の五の目貫通孔を穿孔し、それら以外の何れか一面外壁の所定仮想正方形の何れか対峙する２隅上と対角線交点上との夫々に、所定直径の三の目貫通孔を穿設し、当該三の面の反対がわとなる四の面には、前記三の面の所定仮想正方形をそのまま投影状とした所定仮想正方形の４隅上夫々に、所定直径の四の目貫通孔を穿孔した上、この立方体の８つの外隅を球面状に、また、１２本の稜線を円筒面状に、夫々大きく面取りしてなるものとしなければならず、合成樹脂製または金属製とすることが可能であるが、その用途および使用目的を考慮すると、後述する実施例に示すように、木製とするのが最も望ましく、表面が木目を活かすよう滑らかに仕上げられた木の肌そのままか、または、安全性に秀れた透明塗料で塗装されたものとするのがよい。
そして、サイコロの目を表す各貫通孔は、互いに同一の直径に設定された円形とするのが望ましいが、四角状や星型など様々な形状に設定することも可能であり、大小異なる寸法に設定することもできる。
【００１９】
一の面は、サイコロの１の目を表示するものとしなければならず、後述する実施例に示すよう立方体６面中の一面外壁中央に一の目を表示する球面状凹欠部を形成し、同凹欠部を、安全性に秀れた塗料や染料などを用いて朱色に着色したものとするのが良く、それ以外の二の面の二の目貫通孔ないし六の面の六の目貫通孔の各周縁に、皿もみ状の面取りを施すと共に、各皿もみ状面取り部表面に各面単位毎に、識別容易な程度に異なる着色を施してなるものとすることができる。
【００２０】
また、立方体の中空空間内に木球、木片、金属球、金属片、その外、竹片や竹細工の編み玉、合成樹脂球、合成樹脂片、ガラス玉、鈴、ベルなど、内壁面との干渉によってか、または、それ自体が自動的に音を発するか、何れかのものとした音響発生体を収容したものとすることができる外、立方体の中空空間内に、香料やポプリなどの容器詰め、袋詰め、またはそれ自体の塊などからなる芳香発生体を内蔵したものとすることができ、後述する実施例に示すように、前記音響発生体と芳香発生体との双方を収容したものとすることが可能である外、Ｎ個の立方体夫々の音響発生体の音色や芳香発生体の香りを個々に異なるもに設定したものとすることができる。
さらに、立方体６面の夫々に各サイコロの目を表す凹欠部および貫通孔を除く空白域適所に、各面単位毎に識別容易な程度に異なる動物や人物、キャラクター、物品その他の絵や様々な模様、様々な書体の文字などの図画表示部を設けるようにしても良い。
【００２１】
サイコロ型積み木は、この考案のサイコロの複数個を転がしたり、安定且つ容易に積み上げたりする遊戯に供する一方、室内装飾品として自由に組み上げ、適宜水平回転させて動かし、その外観に変化を与えることの可能なオブジェを形成するといった機能を果たし、この考案によるサイコロの複数個と、それらサイコロを積み重ねたものを縦貫可能な連結棒との組み合わせから構成される。
【００２２】
連結棒は、積み重ねた複数個のサイコロを上下に縦貫し、それら複数個のサイコロ同士を連結すると共に、抜き外すだけで各サイコロを個々に分離可能とする機能を果たし、サイコロの二の面の二の目貫通孔ないし六の面の六の目貫通孔の夫々に貫通可能な所定外径寸法であって、積み重ねられたＮ個のサイコロを上下縦貫可能な長さ寸法に設定されたものとし、各貫通孔のサイズや形状が異なる場合には、最小孔径の貫通孔に装着可能な外径寸法、軸方向断面形状に設定しなければならず、少なくともサイコロＮ−１／３個を積み重ねた全高寸法に相当する程度の長さに設定されたものとすべきであり、その軸芯回りに個々のサイコロが互いに回転移動自在に組み合わせ可能とすることができる外、軸芯方向の断面形状を真円形以外の楕円形状、正三角形状、正四角形状、正五角形状、正六角形状などの正多角形状、星形状、ハート形状などの異形状とするなどし、この断面形状に各サイコロ夫々の各貫通孔が嵌合するよう形成されたものとして、所定角度単位毎、各サイコロとの組み合わせ軸芯回り角度を適宜選択できるよう設定したものとすることが可能であり、その材質を金属製または合成樹脂製とすることができるが、後述する実施例に示すよう木製棒状体とし、滑らかに仕上げられた木の肌そのままか、または、安全性に秀れた透明塗料で塗装されたものとするのが望ましく、両端外周縁を適宜面取りしたものとすべきである。
【００２３】
サイコロおよび連結棒に用いる材質として、特に木材を採用するときには、楓、樫、桂、桐、栗、欅、シナノキ、チーク、栃、ブナ、黒胡桃、ホオノキ、ホワイトメランチ、真樺、ミズナラ、ヤチダモ、ヤマザクラ、レッドメランチ、ローズウッド、杉、檜、赤松、唐松、米松、米ヒバ、米桧、米栂、米杉、スプルース、シベリア唐松、アガチス、サイプレスなどの外、クラロウォールナット、鳥眼杢（バーズアイメープル）、楠玉杢、牡丹杢、笹杢、バール杢、如鱗杢、孔雀杢、筍杢、鶉杢、リボン杢、玉杢、縮杢、縞杢、葡萄杢、虎斑、泡杢など有らゆる木種や木質の木材を使用可能としているが、その土地土地で産出する木材、例えば本願出願人が所在する青森県であれば、その代表的な県産木である青森ヒバ（翌檜）そのものか、その端切れや間伐材を有効活用するようにして地方の活性化と資源の有効活用化とに益するようにするのが望ましいと言える。
以下では、図面に示すこの考案を代表する実施例と共に、その構造について詳述することとする。                                                                                                            
【実施例１】
【００２４】
図１のスライス加工された木材製立方体の斜視図、図２の円柱形の有底丸穴加工された本体ブロックの斜視図、図３の有底角穴加工された本体ブロックの斜視図、図４の施蓋状接着された後に面取り加工した木材製立方体の斜視図、図５の半裁加工された木材製立方体の斜視図、図６の有底丸穴加工された半裁ブロックの斜視図、図７の有底角穴加工された半裁ブロックの斜視図、図８の正四角形状の周縁をカット加工した木材製板ブロックの三面図、図９の立方体とするよう組み合わせる６枚の板ブロックの斜視図、図１０の一の面の正面図、図１１の二の面の正面図、図１２の三の面の正面図、図１３の四の面の正面図、図１４の五の面の正面図、図１５の六の面の正面図、図１６の積み重ね状態にあるサイコロ型積み木の正面図、図１７のサイコロ型積み木の斜視図、図１８の連結棒を組み込んだ１個のサイコロの斜視図、図１９の連結棒で連結した２個のサイコロの斜視図、図２０の連結棒で連結した３個のサイコロの斜視図、図２１のサイコロの一部を破断面化して覗く内蔵された鈴の斜視図、図２２のサイコロの一部を破断面化して覗く内蔵された香料の斜視図、および、図２３の一部を破断面化して覗く内蔵された鈴および香料の斜視図に、この考案の最も代表的な幾つかの事例を示してある。
【００２５】
それらは、中空立方体Ｄの一面１中央に一の目とする凹欠部１０を形成し、六の面６内に設定した所定仮想正方形Ｖの４隅Ｖ０上と、対峙仮想２辺Ｖ１の各中央とに、六の目貫通孔６０を穿孔し、二の面２の所定仮想正方形Ｖの対峙する２隅Ｖ０上に二の目貫通孔２０を穿孔すると共に、五の面５には所定仮想正方形Ｖの４隅Ｖ０上と対角線交点Ｖ２上とに五の目貫通孔５０を穿孔する一方、三の面３の所定仮想正方形Ｖの対峙する２隅Ｖ０上と対角線交点Ｖ２上との夫々に三の目貫通孔３０を穿設し、四の面４には所定仮想正方形Ｖの４隅Ｖ０上夫々に四の目貫通孔４０を穿孔した上、この立方体Ｄの８つの外隅Ｄ５を球面状に、また、１２本の稜線Ｄ６を円筒面状に、夫々大きく面取りしてなるものとしたこの考案のサイコロ、およびそれを３（Ｎ）個利用したサイコロ型積み木における代表的な一実施例である。
以下では、木工品からなるこの考案のサイコロＤおよび連結棒Ｒの製造工程を含め、その構造を具体的に説示していくこととする。
【００２６】
それら各図からも明確に把握できるとおり、この考案のサイコロＤは木工品であり、図１中に示すように、一辺の長さＬ（図１０中に示す）が５０ｍｍの正四角形による６面体とした木材製立方体Ｄの一側面を、蓋部Ｄ１とするよう８ｍｍ厚でスライスしてから、その本体ブロックＤ０の切断面中央に、図２に示すよう直径３４ｍｍ、深さ３４ｍｍの有底丸穴Ｄ４を穿設するか、または、図３に示すよう一辺３４ｍｍ、深さが３４ｍｍの有底角穴Ｄ４を穿設するかの何れかの穿孔加工を施した後、図２または図３に斜線範囲で示す本体ブロックＤ０裁断面と、蓋部Ｄ１の対応個所とを接着剤によって強固に接着、一体化した後、図４中に示すように、該立方体Ｄの８つの外隅Ｄ５を球面状に、また、１２本の稜線Ｄ６を円筒面状に、半径８ｍｍの大きさの面取りを施したものとすることが可能である。
【００２７】
また、同様のサイコロＤは、図５ないし図７中に示すように、一辺の長さＬが５０ｍｍの正四角形に設定した６面体の木材製立方体Ｄを中央よりナタなどで木目に沿うよう半裁してから、図６中に示すよう各半裁ブロックＤ２，Ｄ２夫々の中央に直径３４ｍｍ、深さ１７ｍｍ前後の有底丸穴Ｄ４を穿設するか、または、図７に示すよう一辺３４ｍｍ、深さが１７ｍｍ前後の有底角穴Ｄ４を穿設するかの何れか一方の加工を施した後、双方の斜線範囲同士を接着剤によって結合、一体化した上、図４中に示すよう立方体Ｄの８つの外隅Ｄ５を球面状に、１２本の稜線Ｄ６を円筒面状に、夫々大きさの面取りしたものとすることができる。
【００２８】
さらにまた、図８に示す一辺の長さＬが５０ｍｍの正四角形で、厚さが８ｍｍの木製板ブロックＤ３の６枚全ての各外周縁に、同図８中に波線で示すよう角度４５°の８ｍｍのＣ面取りを施し、それら面取り加工された４辺縁の夫々に、図９中に斜線範囲で示すよう接着剤を塗布して互いに結合、一体化して木材製立方体Ｄとし、図４中に示すよう全ての角を半径８ｍｍで面取り加工したものとすることができる。
【００２９】
このような加工工程の何れか一つによって製造された木材製立方体Ｄは、図１０ないし図１５に示すように、夫々の面壁にサイコロの目が形成されている。
即ち、図４中に示した立方体Ｄの６面中、一の面１として任意に選択された一面外壁には、図１０に示すように、その壁面中央に一の目を表示する直径１７ｍｍ、深さ４ｍｍの球面状凹欠部１０を切削、形成し、該球面状凹欠部１０の範囲内のみに安全性を確認済みの塗料によって朱色に着色したものとする。
そして、該一の面１の反対がわとなる六の面６には、図１５中に示すように、該六の面６の対角線６１上に各４隅Ｖ０を一致し、対角線の交点（Ｖ２）同士を一致する、一辺ＶＬ（図１０中に示す）が２２ｍｍの所定仮想正方形Ｖ（図１５中に一点鎖線で示す）の４隅Ｖ０上と、それら４隅Ｖ０間の何れか対峙する仮想２辺Ｖ１の各中央とに、夫々六の目表示用の直径７ｍｍの六の目貫通孔６０を壁面に垂直に穿孔したものとし、各六の目貫通孔６０の周縁に、２ｍｍ程度の皿もみ状の面取りを施すと共に、各皿もみ状面取り部Ｃの表面のみに安全性確認済みの黒色塗料による環状の塗装を施したものとする。
【００３０】
図１０および図１５に示した一の面１および六の面６以外の何れか、任意選択した一面外壁を二の面２と設定し、図１１中に示すように、同二の面２の対角線２１上に各４隅Ｖ０を一致し、対角線の交点（Ｖ２）同士を一致する前記と同一寸法の所定仮想正方形Ｖの対峙する２隅Ｖ０上に、直径７ｍｍの二の目表示用の二の目貫通孔２０を壁面に垂直に穿孔し、各二の目貫通孔２０の周縁に、２ｍｍ程度の皿もみ状の面取りを施し、各皿もみ状面取り部Ｃのみに安全性確認済みの青色塗料による環状の塗装を施したものとする。
また、当該二の面２の反対がわとなる五の面５には、図１４中に示すよう前記二の面２の所定仮想正方形Ｖをそのまま投影状とした所定仮想正方形Ｖの４隅Ｖ０上と対角線交点Ｖ２上とに夫々直径７ｍｍの五の目表示用の五の目貫通孔５０を壁面に垂直に穿孔し、各五の目貫通孔５０周縁にも、２ｍｍ程度の皿もみ状の面取りを施し、各皿もみ状面取り部Ｃのみに安全性確認済みの白色塗料による環状の塗装を施したものとなっている。
【００３１】
これら６面中の図１０および図１５に示した一の面１、六の面６、および、図１１および図１４に示した二の面２、五の面５以外の何れかの任意に選択した一面外壁を三の面３に設定し、図１２中に示すよう該三の面３の同一寸法、配置とした所定仮想正方形Ｖの何れか対峙する２隅Ｖ０上と対角線交点Ｖ２上との夫々に、直径７ｍｍの三の目表示用の三の目貫通孔３０を壁面に垂直に穿設し、各三の目貫通孔３０周縁に２ｍｍ程度の皿もみ状面取り部Ｃを形成し、この範囲にのみ安全性確認済みの黄色塗料を環状に塗装したものとする一方、当該三の面３の反対がわとなる四の面４には、図１３中に示すように、前記三の面３の所定仮想正方形Ｖをそのまま投影状とした所定仮想正方形Ｖの４隅Ｖ０上夫々に、直径７ｍｍの四の目表示用の四の目貫通孔４０を壁面に垂直に穿孔し、各四の目貫通孔４０周縁に２ｍｍ程度の皿もみ状面取り部Ｃを形成し、この範囲に安全性確認済みの緑色塗料を環状に塗装したものとする。
【００３２】
また、連結棒Ｒは図１６中に示すように、当該サイコロＤを３（Ｎ）個積み重ねた場合の全高寸法Ｈ１５０ｍｍから、サイコロＤの側壁厚み寸法Ｔ（８ｍｍ）の２枚分の寸法Ｔ×２を差し引いた長さ寸法Ｒ１（１３４ｍｍ）、外径６ｍｍで、両端面の円形外周縁を無端円筒面状に面取りしてなる木製の直線状棒から形成されたものとし、さらに、３個のサイコロＤ中の１個には、図１７や図２０中に示すように、各面余白の適所に五の面５にはウサギ、６の面にはクマなど、各面単位毎に識別容易な程度に異なる絵をプリント、彫刻またはシールの貼り付けなどにより、図画表示部Ｐを形成したものとしている。
【００３３】
そして、これら３個のサイコロＤ中の１個は、図２、図３、図６、図７または図９の何れかに示す製造過程で、その中空空間Ｄ４内に、図２１に示すよう音響発生体としての鈴Ｓを収容したものとし、他の１個のサイコロＤ中空空間Ｄ４内には、図２２中に示すように、同様に芳香発生体である袋詰めの香料Ｆを内蔵し、さらに別の１個のサイコロＤ中空空間Ｄ４内に、図２３中に示すように、音響発生体としての鈴Ｓ、および芳香発生体である袋詰め香料Ｆが収納されたものとしている。
【００３４】
（実施例１の作用）
以上のとおりの構成からなるこの考案のサイコロＤは、図１ないし図４中に示す工程で立方体Ｄ木材を、本体ブロックＤ０と蓋部Ｄ１とに分離してから、本体ブロックＤ０に中空空間Ｄ４を穿設した後、蓋部Ｄ１で封鎖するよう接着した上、８つの外隅Ｄ５を球面状に、また、１２本の稜線Ｄ６を円筒面状に夫々、蓋部Ｄ１の厚さ８ｍｍと同じ寸法で面取りしたものとすることで、切断面が目立たない立方体Ｄとなる。
【００３５】
また、図５ないし図７に示す工程では、立方体Ｄ木材をナタによって半裁ブロックＤ２に分割してから、双方の半裁ブロックＤ２に中空空間Ｄ４を穿設した後に接着、一体化することで、木目に沿った半裁加工および接着を可能とし、完成後のサイコロＤの半裁切断個所が殆ど解らないよう仕上げることが可能となる。
【００３６】
そして、図８および図９中に示すように、外周縁を４５°の傾斜角度で面取りした６枚の板ブロックＤ３同士を貼り合わせ、内部に中空空間Ｄ４を形成するよう一体化してから、図４中に示すよう、８つの外隅Ｄ５を球面状に、また、１２本の稜線Ｄ６を円筒面状に夫々、大きく面取りしたものとすることで切断面が目立たない立方体Ｄとなる。
【００３７】
しかも、このような裁断、接着工程によって製造した立方体Ｄは、玩具用として激しい回転や衝撃に充分に耐える強度を得るものとなり、裁断、接着部分も目立たず、天然木材の木目模様を活かしたインテリアとすることが可能である。
【００３８】
さらに、図１０ないし図１５に示すように、サイコロＤ各面１ないし６夫々の対角線（一辺Ｌ５０ｍｍ）に所定仮想正方形Ｖ（一辺ＶＬ２２ｍｍ）の対角線を一致させ、該所定仮想正方形Ｖの４隅Ｖ０や仮想２辺Ｖ１の中央点および対角線交点Ｖ２に各目の数を示す貫通孔２０ないし６０を穿設したものとすることで、図１６中に示すよう積み重ねた複数（Ｎ）個のサイコロＤ同士に、１本の連結棒Ｒを縦貫させ、互いに連結したものとすることが可能となる。
【００３９】
以上の構成からなるこの考案のサイコロＤを利用したサイコロ型積み木Ｂは、図１７のように、３（Ｎ）個のサイコロＤと１本の連結棒Ｒとの組み合わせからなり、図１８に示すよう三の面３を上に向けて置いたサイコロＤ１個の例えば、外側配置の三の目貫通孔３０に連結棒Ｒ下端を装着し、次に図１９に示すように、別のサイコロＤ１個の下向きとした二の面２の外側配置の二の目貫通孔２０に連結棒Ｒを上端がわから装着し、貫通した連結棒Ｒ上端が、同二段目のサイコロＤの上向きとなった五の面５の外側配置の五の目貫通孔５０から突出し、さらに、図２０に示すように、三段目のサイコロＤの下向きとした五の面５の外側配置の五の目貫通孔５０に連結棒Ｒ上端を差し込むよう組み合わせたものとすることが可能であり、同様に各サイコロＤは、一の面１の球面状凹欠部１０を除く各面２ないし６の各目貫通孔２０ないし６０の何れか自由選択した個所に連結棒Ｒを貫通状に装着して連結することが可能である。
【００４０】
また、図１６および図２０に示すよう連結された、３個のサイコロＤは互いに、連結棒Ｒ軸芯回りに３６０°回動自在であって、その自由度範囲内で様々な配置に変形することが可能な上、図１８ないし図２０に示すように、個別に連結棒Ｒから順次、容易に分離可能である。
【００４１】
そして、図１７、図２０および図２１中に示すよう、各面１ないし６夫々に図画表示部Ｐを設けた３（Ｎ）個中１個のサイコロＤは、乳幼児や幼児の興味を一層惹き付けるものとなり、知育玩具としての付加価値を高め、インテリアとしても飽きのこない質感を得るものとなり、同図２１に示すよう中空空間Ｄ４中に音響発生体である鈴Ｓを内蔵したものは、乳幼児や幼児の聴覚に良質な刺激を与え、児童や成人にも心地良い音響を発生するものとなる。
【００４２】
また、図２２に示すように、中空空間Ｄ４中に芳香発生体となる袋詰め香料Ｆが内蔵された別の１個のサイコロＤは、乳幼児や幼児の臭覚に心地良い刺激を与える玩具になると共に、児童や成人にも癒しの薫りを発生し、室内の芳香、消臭にも役立つインテリアとなり、さらに、図２３に示すように、中空空間Ｄ４中に音響発生体である鈴Ｓ、および芳香発生体となる袋詰め香料Ｆの双方を内蔵したさらに別の１個のサイコロＤは、鈴Ｓの心地良い音と、香料Ｆの安らぎの香りとを同時に発生するものとなる。
【００４３】
（実施例１の効果）
以上のような構成からなる実施例１の木製のサイコロＤ、およびそれを利用したサイコロ型積み木Ｂは、前記この考案の効果の項で記載の特徴に加え、図１ないし図４中に示すように、中空空間Ｄ４形成用の有底丸穴または有底角穴を穿設した本体ブロックＤ０を封鎖するよう８ｍｍ厚の蓋部Ｄ１を接着した後、立方体Ｄの８つの外隅Ｄ５を球面状、１２本の稜線Ｄ６を円筒面状に夫々、半径８ｍｍの面取り加工を施したものとしてあり、蓋部Ｄ１の接着個所が木目模様に溶け込み目立たなくなり、より丈夫で高品質な外観を有するものになるという効果が期待できる。
【００４４】
また、図５ないし図７に示すように、ナタを用いて木製立方体Ｄの中央付近を、その木目に沿うように半裁してから、それら一対の半裁ブロックＤ２の半裁断面中央に有底丸穴か、有底角穴の何れか一方を穿設した上、同半裁断面そのままの木目に倣って接着、一体化したものとなし、裁断、接着個所が木目模様に隠され、一段と秀れた外観を得ることができる。
【００４５】
さらに、図８および図９に示すように、６枚の板ブロックＤ３を６面体に接着、一体化してなるサイコロＤは、中空空間Ｄ４相当部分を刳り抜く加工が不要となり、木材使用量を大幅に削減すると共に廃材の発生量を大幅に低減し、製造工数を低く抑えてより経済的に生産することが可能であり、特に稀少木材を用いる高級インテリアとして製造する場合や、低価格化を達成しようとする場合などに有効である。
加えて、図２３に示すように、中空空間Ｄ４内に音響発生体である鈴Ｓ、および芳香発生体となる袋詰めの香料Ｆの双方を内蔵したサイコロＤは、鈴Ｓの音と袋詰めの香料Ｆの香りとの両方を発して知育玩具やインテリアとしての付加価値を格段に高めることができるという利点が得られることは、先にこの考案の効果の欄に記載したとおりである。
【００４６】
（結  び）
叙述の如く、この考案のサイコロ、およびそれを利用したサイコロ型積み木は、その新規な構成によって所期の目的を遍く達成可能とするものであり、しかも製造も容易で、従前からの積み木類に比較して大幅に軽量化すると共に、耐久強度を高め、電子部品類などの内蔵を排除し、製造工程に金型などを一切使用せず、低廉化して遥かに経済的なものとすることができる上、高機能な知育玩具や高品質なインテリアとして幅広く利用できるものとしたことから、新たな商品の開発に苦慮してきた玩具業界および木工業界はもとより、安全性に秀れたサイコロや積み木の提供を切望する幼稚園、保育所、保育施設および養護老人ホームや、飽きずに永い間に亘って楽しめる小物装飾品を希望する一般家庭においても高く評価され、広範に渡って利用、普及していくものになると予想される。                                                                                            
【図面の簡単な説明】
【００４７】
図面は、この考案のサイコロ、およびそれを利用したサイコロ型積み木の技術的思想を具現化した代表的な幾つかの実施例を示すものである。
【図１】裁断した立方体木材を示す斜視図である。
【図２】丸穴穿孔された本体ブロックを示す斜視図である。
【図３】角穴穿孔された本体ブロックを示す斜視図である。
【図４】面取りした立方体木材を示す斜視図である。
【図５】半裁した立方体木材を示す斜視図である。
【図６】丸穴穿孔した半裁ブロックを示す斜視図である。
【図７】角穴穿孔した半裁ブロックを示す斜視図である。
【図８】板ブロックを示す三面図である。
【図９】板ブロックの組立状態を示す斜視図である。
【図１０】一の面を示す正面図である。
【図１１】二の面を示す正面図である。
【図１２】三の面を示す正面図である。
【図１３】四の面を示す正面図である。
【図１４】五の面を示す正面図である。
【図１５】六の面を示す正面図である。
【図１６】組み合わせ状態のサイコロ型積み木を示す正面図である。
【図１７】サイコロ型積み木を示す斜視図である。
【図１８】連結棒を装着したサイコロを示す斜視図である。
【図１９】二段重ねのサイコロを示す斜視図である。
【図２０】三段重ねのサイコロを示す斜視図である。
【図２１】鈴内蔵のサイコロを破断面化して示す斜視図である。
【図２２】香料内蔵のサイコロを破断面化して示す斜視図である。
【図２３】鈴および香料内蔵サイコロを破断面化して示す斜視図である。
【符号の説明】
【００４８】
Ｂ      サイコロ型積み木
Ｄ      サイコロ
Ｄ０    同  本体ブロック
Ｄ１    同  蓋部
Ｄ２    同  半裁ブロック
Ｄ３    同  板ブロック
Ｄ４    同  中空空間
Ｄ５    同  ８つの外隅
Ｄ６    同  １２本の稜線
Ｌ    同  一辺の長さ寸法
Ｔ    同  側壁厚み寸法
Ｈ    同  積み重ね全高寸法
Ｒ      連結棒
Ｒ１    同  長さ寸法
１      一の面
１０    同  球面状凹欠部（一の目）
１１    同  対角線（仮想）
２      二の面
２０    同  二の目貫通孔（二の目）
２１    同  対角線（仮想）
３      三の面
３０    同  三の目貫通孔（三の目）
３１    同  対角線（仮想）
４      四の面
４０    同  四の目貫通孔（四の目）
４１    同  対角線（仮想）
５      五の面
５０    同  五の目貫通孔（五の目）
５１    同  対角線（仮想）
６      六の面
６０    同  六の目貫通孔（六の目）
６１    同  対角線（仮想）
Ｖ      所定仮想正方形
Ｖ０    同  ４隅
Ｖ１    同  仮想２辺
Ｖ２    同  対角線交点
ＶＬ    同  一辺の長さ寸法
Ｃ      皿もみ状面取り部
Ｓ      鈴（音響発生体）
Ｆ      袋詰め香料（芳香発生体）
Ｐ      図画表示部
【図１】
0003141768.tif 000003
【図２】
0003141768.tif 000004
【図３】
0003141768.tif 000005
【図４】
0003141768.tif 000006
【図５】
0003141768.tif 000007
【図６】
0003141768.tif 000008
【図７】
0003141768.tif 000009
【図８】
0003141768.tif 000010
【図９】
0003141768.tif 000011
【図１０】
0003141768.tif 000012
【図１１】
0003141768.tif 000013
【図１２】
0003141768.tif 000014
【図１３】
0003141768.tif 000015
【図１４】
0003141768.tif 000016
【図１５】
0003141768.tif 000017
【図１６】
0003141768.tif 000018
【図１７】
0003141768.tif 000019
【図１８】
0003141768.tif 000020
【図１９】
0003141768.tif 000021
【図２０】
0003141768.tif 000022
【図２１】
0003141768.tif 000023
【図２２】
0003141768.tif 000024
【図２３】
0003141768.tif 000025